(57)【要約】【課題】吸引チューブの周囲が付近の組織に覆われる状態であっても、血液などを確実に吸引することができる手術用吸引具を提供すること。【解決手段】補助部材４の開口部４１内に吸引チューブ３が挿入されて、補助部材４の内周面部４３によって吸引チューブ３の外周面が保持されているとともに、補助部材４は吸引チューブ３の長手方向に沿ってスライド自在であり、吸引チューブ３と補助部材４の内周面部４３の間には、切欠け部４４による通気口４５が形成されている。【選択図】図１
2019111224.tif 000002
【特許請求の範囲】
【請求項１】
ヘッド部と接続する吸引チューブに補助部材が配設されている手術用吸引具であって、
前記ヘッド部は、内部空間と連通する貫通孔を備えた外筒部と、この外筒部の端部に設けられた接続部とを備え、
前記吸引チューブは長尺な円筒状であり、
前記補助部材は、中央に開口部が形成されたリング状であり、かつ、その開口部に隣接する内周面部には切欠け部が設けられており、
前記ヘッド部の前記接続部に前記吸引チューブの一端が接続し、
前記補助部材の前記開口部内に前記吸引チューブが挿入されて、前記内周面部によって前記吸引チューブの外周面の一部が保持されているとともに、前記補助部材は前記吸引チューブの長手方向に沿ってスライド自在であり、前記吸引チューブと前記補助部材の前記切欠け部の間には通気口が形成されていることを特徴とする手術用吸引具。
【請求項２】
中央に開口部が形成されたリング状であり、円筒状の吸引チューブの外周面にスライド自在に取付け可能な補助部材であって、
前記開口部に隣接する内周面部には切欠け部が設けられており、前記開口部に挿入された前記吸引チューブの外周面の一部を前記内周面部によって保持可能であるとともに、前記吸引チューブと前記補助部材の前記内周面部の間には、前記切欠け部による通気口が形成されることを特徴とする補助部材。
【発明の詳細な説明】
【技術分野】
【０００１】
本発明は、手術中に血液等を吸引するための手術用吸引具と、この手術用吸引具に取付けられる補助部材に関する。
【背景技術】
【０００２】
心臓血管外科手術では心臓や血管を切り開く必要がある。その際に心臓内や血管内から絶えず流出する血液を適切に吸引しないと、手術視野が確保できないため、助手が把持する手術用吸引具が使用されている。
【０００３】
本発明者は助手が把持しておく必要のない、柔軟性、適応性に富んだ吸引チューブに連結される手術用吸引ヘッドについて、様々な形状を創案している（例えば、特許文献1〜5）。これらの手術用吸引具ヘッドは、特徴的な外径を有しており、その外周面近位側に設けられた開口部（ベント孔）などにより、心臓や血管壁、周囲組織によって吸引具が閉塞されることを可及的に予防し、血液や浸出液などを効果的に吸引することができる。
【先行技術文献】
【特許文献】
【０００４】
【特許文献１】意匠登録1549695
【特許文献２】意匠登録1513694
【特許文献３】意匠登録1513693
【特許文献４】意匠登録1486648
【特許文献５】意匠登録1486648
【発明の概要】
【発明が解決しようとする課題】
【０００５】
しかしながら、例えば上記のような心臓手術では、心臓の拍動などに伴って、手術用吸引具用ヘッドと接続する吸引チューブの周囲が付近の組織に覆われることがある。この場合、手術用吸引具用ヘッドによる吸引力（手術用吸引具用ヘッド内の負圧）を確保するための空気の流れが組織によって阻害され、血液などを確実に吸引することが難しい場合があることが改善すべき点として考えられた。
【０００６】
本発明は、以上のような事情に鑑みてなされたものであり、吸引チューブの周囲が付近の組織に覆われる状態であっても、血液などを確実に吸引することができる手術用吸引具と、この手術用吸引具に取付けられる補助部材を提供することを課題としている。
【課題を解決するための手段】
【０００７】
上記の課題を解決するため、本発明の手術用吸引具は、ヘッド部と接続する吸引チューブに補助部材が配設されている手術用吸引具であって、
前記ヘッド部は、内部空間と連通する貫通孔を備えた外筒部と、この外筒部の端部に設けられた接続部とを備え、
前記吸引チューブは長尺な円筒状であり、
前記補助部材は、中央に開口部が形成されたリング状であり、かつ、その開口部に隣接する内周面部には切欠け部が設けられており、
前記ヘッド部の前記接続部に前記吸引チューブの一端が接続し、
前記補助部材の前記開口部内に前記吸引チューブが挿入されて、前記内周面部によって前記吸引チューブの外周面の一部が保持されているとともに、前記補助部材は前記吸引チューブの長手方向に沿ってスライド自在であり、前記吸引チューブと前記補助部材の前記切欠け部の間には通気口が形成されていることを特徴としている。
【０００８】
本発明の補助部材は、中央に開口部が形成されたリング状であり、円筒状の吸引チューブの外周面にスライド自在に取付け可能な補助部材であって、
前記開口部に隣接する内周面部には切欠け部が設けられており、前記開口部に挿入された前記吸引チューブの外周面の一部を前記内周面部によって保持可能であるとともに、前記吸引チューブと前記補助部材の前記内周面部の間には、前記切欠け部による通気口が形成されることを特徴としている。
【発明の効果】
【０００９】
本発明の手術用吸引具および補助部材によれば、吸引チューブの周囲が付近の組織に覆われる状態であっても、血液などを確実に吸引することができる。
【図面の簡単な説明】
【００１０】
【図１】本発明の手術用吸引具の一実施形態を例示した斜視図である。
【図２】図１に示したヘッド部の断面図である。
【図３】本発明の手術用吸引具における補助部材の一実施形態を例示した斜視図である。
【図４】図１におけるＡ−Ａ’矢視断面図である。
【図５】図１に例示した実施形態の手術用吸引具によって血液などを吸引した状態を例示する概要図である。
【図６】（Ａ）〜（Ｃ）は、本発明の手術用吸引具における補助部材の別の実施形態を例示した正面図である。
【発明を実施するための形態】
【００１１】
本発明の手術用吸引具の一実施形態について図面とともに説明する。図１は、本発明の手術用吸引具の一実施形態を例示した斜視図である。図２は、図１に示したヘッド部の断面図である。
【００１２】
図１に例示したように、手術用吸引具１は、ヘッド部２と、吸引チューブ３と、補助部材４とを備えており、ヘッド部２と接続する吸引チューブ３に補助部材４が配設されている。手術用吸引具１は、従来知られている各種の吸引装置（図示していない）と接続することで、手術時に出血した血液などを吸引することができる。
【００１３】
図２に例示したように、ヘッド部２は、外筒部２１と、外筒部２１の端部に設けられた接続部２２とを備えている。
【００１４】
外筒部２１は、一端が開放された中空な略円筒状であり、外周面および先端に内部空間Ｒと連通する複数の貫通孔２１１を備えている。貫通孔２１１は、略円形または略楕円形に形成されている。また、外筒部２１の開放端側の内周面には雌ネジ部２１２が形成されている。
【００１５】
接続部２２は、吸引部２２１、係合部２２２および取付部２２３が直列に接続する長尺な部材であり、吸引部２２１、係合部２２２および取付部２２３の内部には、長手方向に連通する吸入路Ｌが形成されている。
【００１６】
吸引部２２１は、先端に吸引口２２１aを備えた略円柱状に形成されている。吸引部２２１は、外筒部２１の開放端側からその内部空間Ｒに挿入されており、その先端の吸引口２２１aが外筒部２１の先端の貫通孔２１１と対向している。
【００１７】
係合部２２２は、吸引部２２１と一体に形成されており、外筒部２１と係合している。係合部２２２は、吸引部２２１の後端側から周方向の外側に拡がっており、その外周面に雄ネジ部２２２aが形成されている。雄ネジ部２２２aと外筒部２１の雌ネジ部２１２とが螺合することで、外筒部２１と接続部２２とが互いに係合している。さらに、係合部２２２の雄ネジ部２２２aよりも後端側は、次第に径小になる傾斜部２２２bが形成されている。この傾斜部２２２bには、係合部２２２の雄ネジ部２２２aと吸入路Ｌとの間を通じて、外部と外筒部２１の内部空間Ｒとを連通する導入孔２２２c（図１に図示）が形成されている。
【００１８】
取付部２２３は、係合部２２２の傾斜部２２２bの端部から吸引部２２１と反対側に向かって長手方向に延びており、外筒部２１の外側に露出している。取付部２２３には、係合部２２２の傾斜部２２２bと隣接する環状リブ２２３aが形成されている。環状リブ２２３aは、取付部２２３の周方向の外側に向かって突出する略円盤状であり、環状リブ２２３aと係合部２２２の傾斜部２２２bとの間には空隙Ｓが形成されている。さらに、取付部２２３は、環状リブ２２３aの基端部から長手方向に向かって、取付部２２３の周方向の外側に向かって突出する段部２２３bが連続して形成されている。
【００１９】
取付部２２３には、吸引チューブ３の端部を取り付けることができる。吸引チューブ３は、長尺な円筒状であり、柔軟性を有している。具体的には、吸引チューブ３の内部に取付部２２３の段部２２３b側を挿入し、吸引チューブ３の端部が取付部２２３の環状リブ２２３aと当接するまで押し込むことで吸引チューブ３を取り付けることができる。吸引チューブ３は、その柔軟性によって段部２２３bの表面に密着するため、一旦、取付部２２３に取り付けられた吸引チューブ３は、段部２２３bが抵抗になって脱落し難い構造になっている。
【００２０】
吸引チューブ３には、補助部材４が配設されている。
【００２１】
図３は、本発明の手術用吸引具における補助部材の一実施形態を例示した斜視図である。
【００２２】
図１および図３に例示したように、補助部材４は、中央に開口部４１を有するリング状（略円盤状）に形成されている。外周面部４２は補助部材４の外縁を形成している。補助部材４の内周面部４３は開口部４１に臨んでいる。内周面部４３は周方向に湾曲しているとともに、補助部材４の厚み方向に平行に形成されている。
【００２３】
内周面部４３には４つの切欠け部４４が設けられており、２つの切欠け部４４同士が開口部４１を跨いで互いに対向している。切欠け部４４は、内周面部４３から外側（外周面部４２側）に向かって略円弧状に凹んで形成されており、補助部材４の厚さ方向に連通している。
【００２４】
内周面部４３の内側の開口部４１は、切欠け部４４の部分を除き、略円形状に形成されている。内周面部４３の内側の開口部４１の径は、吸引チューブ３の外径に対応して設計されている。
【００２５】
補助部材４の材料は特に限定されないが、例えば、金属、セラミックス、樹脂などを材料として成形されたものを例示することができる。
【００２６】
図４は、図１におけるＡ−Ａ’矢視断面図である。
【００２７】
図１および図４に例示したように、補助部材４の開口部４１内に吸引チューブ３が挿入されると、補助部材４の内周面部４３によって吸引チューブ３の外周面３１が保持される。吸引チューブ３は柔軟性を有しており、吸引チューブ３の外径と補助部材４の内周面部４３の径は対応しているため、補助部材４は、吸引チューブ３を安定に保持しつつも、吸引チューブ３の長手方向に沿って自在にスライドさせることができる。したがって、吸引チューブ３の長手方向の所望の位置に補助部材４を配置することができる。
【００２８】
そして、補助部材４の内周面部４３によって吸引チューブ３の外周面３１が保持されると、補助部材４の内周面部４３と吸引チューブ３の外周面３１が当接する一方で、切欠け部４４と吸引チューブ３の外周面３１との間には通気口４５としての空隙が形成される。
【００２９】
図５は、本発明の手術用吸引具によって血液などを吸引した状態を例示する概要図である。
【００３０】
ヘッド部２は、内部空間Ｒと連通する複数の貫通孔２１１を備えているため、貫通孔２１１から吸引された血液などは、吸引部２２１の先端の吸引口２２１aから吸入路Ｌを通じて、接続する吸引チューブ３へと運ばれる。また、係合部２２２の傾斜部２２２bには導入孔が形成されており、環状リブ２２３aと係合部２２２の傾斜部２２２bとの間には空隙Ｓが形成されている。このため、例えば、仮に外筒部２１の貫通孔２１１が閉鎖されたとしても、導入孔から外筒部２１の内部空間Ｒへ空気を導入することができるため、外筒部２１の先端の貫通孔２１１から血液などの吸引力を維持することができる。
【００３１】
また、手術においては、吸引チューブ３の周囲が付近の組織Ｔに覆われることがある。この場合、従来の手術用吸引具では、手術用吸引具用ヘッドによる吸引力（手術用吸引具用ヘッド内の負圧）を確保するための空気の流れが組織Ｔによって阻害され、血液Ｂなどを確実に吸引することが難しい場合がある。
【００３２】
これに対して、この実施形態の手術用吸引具１は、吸引チューブ３にリング状の補助部材４が配設されており、外周面部４２が外側に突出している。また、補助部材４の開口部４１内に吸引チューブ３が挿入されて、内周面部４３によって吸引チューブ３の外面が保持されているとともに、吸引チューブ３と補助部材４の内周面部４３の間には、切欠け部４４による通気口４５が形成されている。このため、手術用吸引具１は、吸引チューブ３の周囲に組織Ｔが接近する場合であっても、補助部材４の外周面部４２によって組織Ｔとの間に隙間を確保することができるとともに、その隙間が不十分な場合であっても、通気口４５を介して外部からヘッド部２側に空気を流通させることができる。したがって、手術用吸引具１による吸引力（ヘッド部２内の負圧）を確実に確保することができ、血液Ｂなどを確実に吸引することができる。
【００３３】
本発明の手術用吸引具１は、ヘッド部２と接続する吸引チューブ３に補助部材４が配設されている。ヘッド部２は、内部空間Ｒと連通する貫通孔２１１を備えた外筒部２１と、この外筒部２１の端部に設けられた接続部２２とを備えている。吸引チューブ３は長尺な円筒状である。補助部材４は、中央に開口部４１が形成されたリング状であり、かつ、その開口部４１に隣接する内周面部４３には切欠け部４４が設けられている。ヘッド部２の接続部２２に吸引チューブ３の一端が接続している。補助部材４の開口部４１内に吸引チューブ３が挿入されて、内周面部４３によって吸引チューブ３の外周面３１の一部が保持されているとともに、補助部材４は吸引チューブ３の長手方向に沿ってスライド自在である。吸引チューブ３と補助部材４の切欠け部４４の間には通気口４５が形成されている。
【００３４】
本発明の補助部材４は、中央に開口部４１が形成されたリング状であり、円筒状の吸引チューブ３の外面にスライド自在に取付けられる。開口部４１に隣接する内周面部４３には切欠け部４４が設けられており、補助部材４の開口部４１に吸引チューブ３が挿入されると、内周面部４３によって吸引チューブ３の外周面３１の一部を保持可能であるとともに、吸引チューブ３と補助部材４の切欠け部４４の間には通気口４５が形成される。
【００３５】
本発明の手術用吸引具および補助部材は、以上の実施形態に限定されることはない。例えば、ヘッド部の形態は特に限定されず、特許文献１〜５に示される形態であってもよい。
【００３６】
また、補助部材の内周面部および切欠け部の形態も適宜設計することができる。例えば、補助部材の内周面部は、例えば正面視多角形状であってもよいし、補助部材の切欠け部の形状、数、配設位置なども適宜設計することができる。
【００３７】
図６（Ａ）〜（Ｃ）は、本発明の手術用吸引具における補助部材の別の実施形態を例示した正面図である。図１、図３、図４などで説明した実施形態と共通する部分には同一の符号を付し、以下では説明を一部省略する。
【００３８】
図６（Ａ）に例示した補助部材は、中央に開口部４１を有しており、開口部４１と対向し湾曲する内周面部４３に、３つの切欠け部４４が設けられている。切欠け部４４は、外周面部４２側に向かって断面略円弧状に凹む溝として形成されている。吸引チューブ（図示していない）が開口部４１に挿入されると、切欠け部４４の内側の空間には、断面略半円状の通気口４５が形成される。
【００３９】
図６（Ｂ）に例示した補助部材は、中央に開口部４１を有しており、開口部４１と対向し湾曲する内周面部４３に、４つの切欠け部４４が設けられている。切欠け部４４は、外周面部４２側に向かって、断面略矩形状に凹む溝として形成されている。吸引チューブ（図示していない）が開口部４１に挿入されると、切欠け部４４の内側の空間には、断面略矩形状の通気口４５が形成される。
【００４０】
図６（Ｃ）に例示した補助部材は、央に開口部４１を有しており、開口部４１と対向し湾曲する内周面部４３に、８つの切欠け部４４が設けられている。切欠け部４４は、外周面部４２側に向かって鋭角に凹む断面略三角形状の溝として形成されている。吸引チューブ（図示していない）が開口部４１に挿入されると、切欠け部４４の内側の空間には、断面三角形状の通気口４５が形成される。
【００４１】
本発明の手術用吸引具には、図６（Ａ）〜（Ｃ）に例示したような補助部材を備えたものが含まれる。このような実施形態においても、吸引チューブの周囲が付近の組織に覆われたとしても、通気口４５によって空気の流入を確保することができるため、血液などを確実に吸引することができる。
【符号の説明】
【００４２】
１      手術用吸引具
２      ヘッド部
２１    外筒部
２２    接続部
２１１  貫通孔
３      吸引チューブ
３１    外周面
４      補助部材
４１    開口部
４３    内周面部
４４    切欠け部
４５    通気口
【図１】
2019111224.tif 000003
【図２】
2019111224.tif 000004
【図３】
2019111224.tif 000005
【図４】
2019111224.tif 000006
【図５】
2019111224.tif 000007
【図６】
2019111224.tif 000008